(57)【要約】【課題】書類のデジタル情報を、該書類を用いて該書類のアナログ情報とは別に読み出せるように、書類のデジタル情報及びアナログ情報を関連付けて、ホログラム形式でマイクロフィルムに記録することができる、情報記録方法及び情報記録装置等を提供する。【解決手段】記録する書類に光を照射して得られた反射物体光と、記録する書類のデジタルデータを明暗画像で表したデジタル画像で変調された信号光と、を干渉させてホログラムを記録する。このホログラムに、記録時と同じ反射物体光を読出し光として照射すると、信号光が再生される。デジタル情報を再生する際に、書類（書類から得られる反射物体光）を用いて、デジタル情報だけを選択的に再生でき、再生されたデジタル情報の証拠性が保証される。【選択図】図４
2009217137.tif 000002
【特許請求の範囲】
【請求項１】
書類の情報を、前記書類の反射物体光と参照光との干渉により第１ホログラムとしてマイクロフィルムに記録すると共に、前記書類のデジタルデータを明暗画像で表したデジタル画像で変調された信号光と前記書類の反射物体光との干渉により第２ホログラムとして前記マイクロフィルムに記録する、ことを特徴とする情報記録方法。
【請求項２】
前記参照光が、前記書類のデジタルデータを明暗画像で表したデジタル画像で変調された信号光であり、前記第１ホログラムと前記第２ホログラムとが１枚のホログラムである、ことを特徴とする請求項１に記載の情報記録方法。
【請求項３】
コヒーレント光を射出する光源と、
前記光源から射出されたコヒーレント光を二光波に分岐する分岐手段と、
前記分岐手段により分岐された一方の光波を、書類に照射して、前記書類の反射物体光を生成する物体光生成手段と、
前記物体光生成手段により生成された反射物体光の光路を調整して、該反射物体光を、前記マイクロフィルムに照射する物体光照射手段と、
前記分岐手段により分岐された他方の光波の光路を調整して、該光波を、前記マイクロフィルムの前記反射物体光が照射される位置に、前記反射物体光と同時に照射する参照光照射手段と、
複数の画素を用いて前記書類のデジタルデータを明暗画像で表したデジタル画像を表示し、表示されたデジタル画像に応じて入射光を画素毎に変調する空間光変調器を備え、前記分岐手段により分岐された他方の光波の光路を調整して、該光波を前記空間光変調器に入射させ、前記空間光変調器に表示されたデジタル画像に応じて変調して、信号光を生成する信号光生成手段と、
前記信号光生成手段により生成された信号光の光路を調整して、該信号光を、前記マイクロフィルムの前記反射物体光が照射される位置に、前記反射物体光と同時に照射する信号光照射手段と、
を備えることを特徴とする情報記録装置。
【請求項４】
コヒーレント光を射出する光源と、
前記光源から射出されたコヒーレント光を二光波に分岐する分岐手段と、
前記分岐手段により分岐された一方の光波を、書類に照射して、前記書類の反射物体光を生成する物体光生成手段と、
前記物体光生成手段により生成された反射物体光の光路を調整して、該物体光を、前記マイクロフィルムに照射する物体光照射手段と、
複数の画素を用いて前記書類のデジタルデータを明暗画像で表したデジタル画像を表示し、表示されたデジタル画像に応じて入射光を画素毎に変調する空間光変調器を備え、前記分岐手段により分岐された他方の光波の光路を調整して、前記光波を前記空間光変調器に入射させ、前記空間光変調器に表示されたデジタル画像に応じて変調して、信号光を生成する信号光生成手段と、
前記信号光生成手段により生成された信号光の光路を調整して、前記信号光を、前記マイクロフィルムの前記反射物体光が照射される位置に、前記反射物体光と同時に照射する信号光照射手段と、
を備えることを特徴とする情報記録装置。
【請求項５】
書類の情報が、前記書類の反射物体光と参照光との干渉により第１ホログラムとして記録されると共に、前記書類のデジタルデータを明暗画像で表したデジタル画像で変調された信号光と前記書類の反射物体光との干渉により第２ホログラムとして記録された、ことを特徴とするマイクロフィルム。
【請求項６】
前記参照光が、前記書類のデジタルデータを明暗画像で表したデジタル画像で変調された信号光であり、前記第１ホログラムと前記第２ホログラムとが１枚のホログラムである、ことを特徴とする請求項５に記載のマイクロフィルム。
【請求項７】
書類の情報が、前記書類の反射物体光と参照光との干渉により第１ホログラムとして記録されると共に、前記書類のデジタルデータを明暗画像で表したデジタル画像で変調された信号光と前記書類の反射物体光との干渉により第２ホログラムとして記録されたマイクロフィルムから書類の情報を再生する情報再生方法であって、
前記第１ホログラムに前記参照光を照射して前記書類のアナログ画像を再生し、前記第２ホログラムに前記書類の反射物体光を照射して前記書類のデジタル画像又は該デジタル画像に対応するデジタルデータを再生する、ことを特徴とする情報再生方法。
【請求項８】
前記参照光が、前記書類のデジタルデータを明暗画像で表したデジタル画像で変調された信号光であり、前記第１ホログラムと前記第２ホログラムとが１枚のホログラムである、ことを特徴とする請求項７に記載の情報再生方法。
【請求項９】
書類の情報が、前記書類の反射物体光と参照光との干渉により第１ホログラムとして記録されると共に、前記書類のデジタルデータを明暗画像で表したデジタル画像で変調された信号光と前記書類の反射物体光との干渉により第２ホログラムとして記録されたマイクロフィルムから、前記書類の情報を再生する情報再生装置であって、
コヒーレント光を射出する光源と、
前記光源から射出されたコヒーレント光を二光波に分岐する分岐手段と、
前記分岐手段により分岐された一方の光波を、書類に照射して、前記書類の反射物体光を生成する物体光生成手段と、
前記物体光生成手段により生成された反射物体光の光路を調整して、該反射物体光を、前記マイクロフィルムに記録された前記第２ホログラムに照射する物体光照射手段と、
前記分岐手段により分岐された他方の光波の光路を調整して、該光波を、前記マイクロフィルムに記録された前記第１ホログラムに照射する参照光照射手段と、
前記マイクロフィルムを透過した透過光を検出する光検出手段と、  
を備えたことを特徴とする情報再生装置。
【請求項１０】
書類の情報が、前記書類の反射物体光と前記書類のデジタルデータを明暗画像で表したデジタル画像で変調された信号光との干渉によりホログラムとして記録されたマイクロフィルムから、前記書類の情報を再生する情報再生装置であって、
コヒーレント光を射出する光源と、
前記光源から射出されたコヒーレント光を二光波に分岐する分岐手段と、
前記分岐手段により分岐された一方の光波を、書類に照射して、前記書類の反射物体光を生成する物体光生成手段と、
前記物体光生成手段により生成された反射物体光の光路を調整して、該反射物体光を、前記マイクロフィルムに記録された前記ホログラムに照射する物体光照射手段と、
複数の画素を用いて前記書類のデジタルデータを明暗画像で表したデジタル画像を表示し、表示されたデジタル画像に応じて入射光を画素毎に変調する空間光変調器を備え、前記分岐手段により分岐された他方の光波の光路を調整して、前記光波を前記空間光変調器に入射させ、前記空間光変調器に表示されたデジタル画像に応じて変調して、信号光を生成する信号光生成手段と、
前記信号光生成手段により生成された信号光の光路を調整して、前記信号光を、前記マイクロフィルムに記録された前記ホログラムに照射する信号光照射手段と、
前記マイクロフィルムを透過した透過光を検出する光検出手段と、  
を備えたことを特徴とする情報再生装置。
【発明の詳細な説明】
【技術分野】
【０００１】
本発明は、情報記録方法、情報記録装置、マイクロフィルム、情報再生方法、及び情報再生装置に関する。
【背景技術】
【０００２】
従来、公文書の保管など文書の長期保存には、マイクロフィルムやマイクロフィッシュ（以下、「マイクロフィルム等」という。）と称される記録媒体が利用されてきた。マイクロフィルム等には、通常、保存性に優れた銀塩感光材料が使用されるため、文書を記録したマイクロフィルム（以下、「マイクロフィルム文書」という。）は、１００年以上の長期保存が可能である。
【０００３】
また、マイクロフィルム等には、文書に含まれる各書類（ページ）の縮小画像（通常は、ポジ画像）が、アナログ形式で１本のフィルム又は１枚のシートに、書類毎にコマ番号を付与する等して順番に記録されている。マイクロフィルム文書から文書情報を読み出す場合には、コマ番号で閲覧文書及び閲覧ページを特定し、記録された縮小画像を光学的に拡大してディスプレイに表示する。
【０００４】
マイクロフィルム文書には、光学的に拡大して判読できる見読性があり、改ざんが原理的に防止できる等の利点がある。現実に、マイクロフィルム文書は、情報をありのまま再現する特性や、ＪＩＳ、ＩＳＯ等で書式が国際的に規格化、標準化されていて信頼性が高い等の理由により、原本と同等の法的証拠能力（証拠性）を持っていることが、国内外の判例で実証されている。
【０００５】
例えば、マイクロフィルムを用いた公文書の記録保存では、文書の真正性を確保するために、保存したい文書（本文を表す書類）の前後に、分解能チャート、撮影依頼書、件名、内容、及び撮影証明書などを配置し、これらで本文を挟み込んで、マイクロフィルムに記録する。このように、最初を表す書類、本文を表す書類、及び最後を表す書類を少なくとも含むように書式を定めることで、フィルムが切り貼りされてさえいなければ、一連の書類群からなる文書の証拠性が確保される。
【０００６】
一方、近年では、紙文書、マイクロフィルム文書等、アナログ形式で記録された文書情報の電子化（デジタル化）が進められている。電子化によるメリットとしては、１）電子化データによれば、紙文書、マイクロフィルム文書、電子文書など種々の文書情報を統合管理できる、２）企業間での文書情報の変換・流通がスムーズに行える、３）マイクロフィルム文書の文書情報を手元のパソコンでデータとして有効活用できる、等がある。
【０００７】
例えば、デジタル形式で保存された文書情報をアナログ形式に変換し、アナログ形式の文書情報を、フィルム等の長期保存が可能なアナログメディアに書き込む「長期間の文書保存のための方法及び装置」が提案されている（特許文献１を参照）。
【０００８】
【特許文献１】特開２００２−２０２９０３号公報
【発明の開示】
【発明が解決しようとする課題】
【０００９】
しかしながら、単に文書の縮小画像が記録されているマイクロフィルム等は、記録容量には限界がある。例えば、標準的に利用されているマイクロフィルムは、幅が１６ｍｍで長さが６６ｍのロールフィルムであり、これに４０分の１の縮小で各ページを撮影して記録したとしても、フィルム１巻に約６０００枚の書類しか記録できない。また、文書情報がアナログ形式のみで記録されているため、キーワード検索ができない等、検索性の点でも使い勝手の悪さが指摘されている。
【００１０】
一方、単に電子化しまうだけでは、文書の証拠性が失われるという大きな問題が生じる。アナログ形式で記録された文書情報は、アナログであるがゆえに高い証拠性を有している。この文書情報をデジタル情報のみで管理してしまうと、改ざんが容易になり、結果として証拠性を失うことになる。特許文献１に記載の技術においても、保存時には電子化によってのみ管理されているため、文書の証拠性が既に失われている。即ち、「デジタルの利便性」と「アナログの証拠性」とを両立することは困難である。
【００１１】
本発明は、書類のデジタル情報を、該書類を用いて該書類のアナログ情報とは別に読み出せるように、書類のデジタル情報及びアナログ情報を関連付けて、ホログラム形式でマイクロフィルムに記録することができる、情報記録方法及び情報記録装置を提供することを目的とする。
【００１２】
また、本発明は、書類のデジタル情報を、該書類を用いて該書類のアナログ情報とは別に読み出せるように、書類のデジタル情報及びアナログ情報が関連付けられて、ホログラム形式で記録された、マイクロフィルムを提供することを目的とする。
【００１３】
また、本発明は、書類のデジタル情報及びアナログ情報が関連付けられて、ホログラム形式で記録されたマイクロフィルムから、書類のデジタル情報を、該書類を用いて該書類のアナログ情報とは別に読み出すことができる、情報再生方法及び情報再生装置を提供することを目的とする。
【課題を解決するための手段】
【００１４】
上記目的を達成するために請求項１に記載の情報記録方法は、書類の情報を、前記書類の反射物体光と参照光との干渉により第１ホログラムとしてマイクロフィルムに記録すると共に、前記書類のデジタルデータを明暗画像で表したデジタル画像で変調された信号光と前記書類の反射物体光との干渉により第２ホログラムとして前記マイクロフィルムに記録する、ことを特徴とする。
【００１５】
請求項２に記載の情報記録方法は、請求項１に記載の情報記録方法において、前記参照光が、前記書類のデジタルデータを明暗画像で表したデジタル画像で変調された信号光であり、前記第１ホログラムと前記第２ホログラムとが１枚のホログラムである、ことを特徴とする。
【００１６】
請求項３に記載の情報記録装置は、コヒーレント光を射出する光源と、前記光源から射出されたコヒーレント光を二光波に分岐する分岐手段と、前記分岐手段により分岐された一方の光波を、書類に照射して、前記書類の反射物体光を生成する物体光生成手段と、前記物体光生成手段により生成された反射物体光の光路を調整して、該反射物体光を、前記マイクロフィルムに照射する物体光照射手段と、前記分岐手段により分岐された他方の光波の光路を調整して、該光波を、前記マイクロフィルムの前記反射物体光が照射される位置に、前記反射物体光と同時に照射する参照光照射手段と、複数の画素を用いて前記書類のデジタルデータを明暗画像で表したデジタル画像を表示し、表示されたデジタル画像に応じて入射光を画素毎に変調する空間光変調器を備え、前記分岐手段により分岐された他方の光波の光路を調整して、該光波を前記空間光変調器に入射させ、前記空間光変調器に表示されたデジタル画像に応じて変調して、信号光を生成する信号光生成手段と、前記信号光生成手段により生成された信号光の光路を調整して、該信号光を、前記マイクロフィルムの前記反射物体光が照射される位置に、前記反射物体光と同時に照射する信号光照射手段と、を備えることを特徴とする。
【００１７】
請求項４に記載の情報記録装置は、コヒーレント光を射出する光源と、前記光源から射出されたコヒーレント光を二光波に分岐する分岐手段と、前記分岐手段により分岐された一方の光波を、書類に照射して、前記書類の反射物体光を生成する物体光生成手段と、前記物体光生成手段により生成された反射物体光の光路を調整して、該物体光を、前記マイクロフィルムに照射する物体光照射手段と、複数の画素を用いて前記書類のデジタルデータを明暗画像で表したデジタル画像を表示し、表示されたデジタル画像に応じて入射光を画素毎に変調する空間光変調器を備え、前記分岐手段により分岐された他方の光波の光路を調整して、前記光波を前記空間光変調器に入射させ、前記空間光変調器に表示されたデジタル画像に応じて変調して、信号光を生成する信号光生成手段と、前記信号光生成手段により生成された信号光の光路を調整して、前記信号光を、前記マイクロフィルムの前記反射物体光が照射される位置に、前記反射物体光と同時に照射する信号光照射手段と、を備えることを特徴とする。
【００１８】
請求項５に記載のマイクロフィルムは、書類の情報が、前記書類の反射物体光と参照光との干渉により第１ホログラムとして記録されると共に、前記書類のデジタルデータを明暗画像で表したデジタル画像で変調された信号光と前記書類の反射物体光との干渉により第２ホログラムとして記録された、ことを特徴とする。
【００１９】
請求項６に記載のマイクロフィルムは、請求項５に記載のマイクロフィルムにおいて、前記参照光が、前記書類のデジタルデータを明暗画像で表したデジタル画像で変調された信号光であり、前記第１ホログラムと前記第２ホログラムとが１枚のホログラムである、
ことを特徴とする。
【００２０】
請求項７に記載の情報再生方法は、書類の情報が、前記書類の反射物体光と参照光との干渉により第１ホログラムとして記録されると共に、前記書類のデジタルデータを明暗画像で表したデジタル画像で変調された信号光と前記書類の反射物体光との干渉により第２ホログラムとして記録されたマイクロフィルムから書類の情報を再生する情報再生方法であって、前記第１ホログラムに前記参照光を照射して前記書類のアナログ画像を再生し、前記第２ホログラムに前記書類の反射物体光を照射して前記書類のデジタル画像又は該デジタル画像に対応するデジタルデータを再生する、ことを特徴とする。
【００２１】
請求項８に記載の情報再生方法は、請求項７に記載の情報再生方法において、前記参照光が、前記書類のデジタルデータを明暗画像で表したデジタル画像で変調された信号光であり、前記第１ホログラムと前記第２ホログラムとが１枚のホログラムである、ことを特徴とする。
【００２２】
請求項９に記載の情報再生装置は、書類の情報が、前記書類の反射物体光と参照光との干渉により第１ホログラムとして記録されると共に、前記書類のデジタルデータを明暗画像で表したデジタル画像で変調された信号光と前記書類の反射物体光との干渉により第２ホログラムとして記録されたマイクロフィルムから、前記書類の情報を再生する情報再生装置であって、コヒーレント光を射出する光源と、前記光源から射出されたコヒーレント光を二光波に分岐する分岐手段と、前記分岐手段により分岐された一方の光波を、書類に照射して、前記書類の反射物体光を生成する物体光生成手段と、前記物体光生成手段により生成された反射物体光の光路を調整して、該反射物体光を、前記マイクロフィルムに記録された前記第２ホログラムに照射する物体光照射手段と、前記分岐手段により分岐された他方の光波の光路を調整して、該光波を、前記マイクロフィルムに記録された前記第１ホログラムに照射する参照光照射手段と、前記マイクロフィルムを透過した透過光を検出する光検出手段と、を備えたことを特徴とする。
【００２３】
請求項１０に記載の情報再生装置は、書類の情報が、前記書類の反射物体光と前記書類のデジタルデータを明暗画像で表したデジタル画像で変調された信号光との干渉によりホログラムとして記録されたマイクロフィルムから、前記書類の情報を再生する情報再生装置であって、コヒーレント光を射出する光源と、前記光源から射出されたコヒーレント光を二光波に分岐する分岐手段と、前記分岐手段により分岐された一方の光波を、書類に照射して、前記書類の反射物体光を生成する物体光生成手段と、前記物体光生成手段により生成された反射物体光の光路を調整して、該反射物体光を、前記マイクロフィルムに記録された前記ホログラムに照射する物体光照射手段と、複数の画素を用いて前記書類のデジタルデータを明暗画像で表したデジタル画像を表示し、表示されたデジタル画像に応じて入射光を画素毎に変調する空間光変調器を備え、前記分岐手段により分岐された他方の光波の光路を調整して、前記光波を前記空間光変調器に入射させ、前記空間光変調器に表示されたデジタル画像に応じて変調して、信号光を生成する信号光生成手段と、前記信号光生成手段により生成された信号光の光路を調整して、前記信号光を、前記マイクロフィルムに記録された前記ホログラムに照射する信号光照射手段と、前記マイクロフィルムを透過した透過光を検出する光検出手段と、を備えたことを特徴とする。
【発明の効果】
【００２４】
本発明の各請求項に係る発明は、各々以下の効果を有する。
【００２５】
請求項１に記載の発明によれば、文書の真正性を損なうことなく（改ざんを防止して証拠性を確保し）、アナログ形式で記録する場合と比較して大容量の文書情報を、長期間にわたり記録保存することができると共に、書類のデジタル情報を、該書類を用いて該書類のアナログ情報とは別に読み出すことができ、デジタルの利便性を享受できる、という効果がある。即ち、「デジタルの利便性」と「アナログの証拠性」とを両立することができる。
【００２６】
請求項２に記載の発明によれば、書類のデジタル情報及びアナログ情報を１枚のホログラムで記録することができ、更に改ざんを困難なものとすると共に、マイクロフィルムの記録容量が増大する、という効果がある。
【００２７】
請求項３に記載の発明によれば、書類のデジタル情報を、該書類を用いて該書類のアナログ情報とは別に読み出せるように、書類のデジタル情報及びアナログ情報を関連付けて、ホログラム形式でマイクロフィルムに記録することができる、という効果がある。これにより、改ざんを防止して証拠性を確保し、アナログ形式で記録する場合と比較して大容量の文書情報を、長期間にわたり記録保存することができる。また、書類のデジタル情報を、該書類を用いて該書類のアナログ情報とは別に読み出すことができ、デジタルの利便性を享受できる。即ち、「デジタルの利便性」と「アナログの証拠性」とを両立することができる。
【００２８】
請求項４に記載の発明によれば、書類のデジタル情報を、該書類を用いて該書類のアナログ情報とは別に読み出せるように、書類のデジタル情報及びアナログ情報を関連付けて、ホログラム形式でマイクロフィルムに記録することができると共に、書類のデジタル情報及びアナログ情報を１枚のホログラムで記録することができる、という効果がある。このように、書類のデジタル情報及びアナログ情報を１枚のホログラムで記録することで、更に改ざんを困難なものとすると共に、マイクロフィルムの記録容量が増大する。
【００２９】
請求項５に記載の発明によれば、改ざんを防止して証拠性を確保し、アナログ形式で記録する場合と比較して大容量の文書情報を、長期間にわたり記録保存することができる。また、書類のデジタル情報を、該書類を用いて該書類のアナログ情報とは別に読み出すことができるように記録されているので、デジタルの利便性を享受できる。即ち、「デジタルの利便性」と「アナログの証拠性」とを両立することができる。
【００３０】
請求項６に記載の発明によれば、更に改ざんを困難なものとすると共に、マイクロフィルムの記録容量が増大する、という効果がある。
【００３１】
請求項７に記載の発明によれば、書類のデジタル情報及びアナログ情報が関連付けられて、ホログラム形式で記録されたマイクロフィルムから、書類のデジタル情報を、該書類を用いて該書類のアナログ情報とは別に読み出すことができ、デジタルの利便性を享受できる、という効果がある。即ち、「デジタルの利便性」と「アナログの証拠性」とを両立することができる。
【００３２】
請求項８に記載の発明によれば、マイクロフィルムに記録された１枚のホログラムから、書類のデジタル情報と書類のアナログ情報とを別々に読み出すことができる、という効果がある。
【００３３】
請求項９に記載の発明によれば、書類のデジタル情報及びアナログ情報が関連付けられて、ホログラム形式で記録されたマイクロフィルムから、書類のデジタル情報を、該書類を用いて該書類のアナログ情報とは別に読み出すことができ、デジタルの利便性を享受できる、という効果がある。即ち、「デジタルの利便性」と「アナログの証拠性」とを両立することができる。
【００３４】
請求項１０に記載の発明によれば、マイクロフィルムに記録された１枚のホログラムから、書類のデジタル情報と書類のアナログ情報とを別々に読み出すことができる、という効果がある。
【発明を実施するための最良の形態】
【００３５】
以下、図面を参照して本発明の実施の形態の一例を詳細に説明する。
（マイクロフィルム）
マイクロフィルムは、紙文書等の情報を縮小撮影して記録するための写真フィルムである。縮小撮影するために、一般の写真フィルムと比較して高い解像力を備えており、より小さな面積に多くの情報を記録することが可能である。マイクロフィルムは、少なくとも、フィルム状の支持体と、この支持体上に形成された感光記録層と、を含んで構成されている。フィルム状の支持体としては、一般に、トリアセチルセルロース（ＴＡＣ）、ポリエチレンテレフタレート（ＰＥＴ）等の透明な樹脂フィルムが使用されている。
【００３６】
また、感光記録層には、通常は、写真フィルム用の感光材料が使用されている。本発明では、マイクロフィルムにホログラムを記録する。従って、マイクロフィルムの感光記録層に用いられる感光材料は、ホログラムが記録できればどのような感光材料でも構わないが、保存性に優れる銀塩感光材料が好適である。ハロゲン化銀乳剤等の銀塩感光材料を用いたマイクロフィルムでは、１００年以上の長期間の保存性が保証される。
【００３７】
図１（Ａ）〜（Ｃ）はマイクロフィルムの種々の形態を示す図である。マイクロフィルムには、大きく分けて、ロール状のロールフィルムと、シート状のシートフィルムとがある。図１（Ａ）及び（Ｂ）はロールフィルムの一例を示す図であり、図１（Ｃ）はシートフィルムの一形態であるマイクロフィッシュの一例を示す図である。
【００３８】
図１（Ａ）に示すように、ロールフィルム１０は、帯状のフィルム１２を備えている。帯状のフィルム１２は、一端がリール１４に固定され、リール１４に巻き付けられている。なお、帯状のフィルム１２の他端１２Ａは、開放端とされている。図１（Ｂ）に示すように、フィルム１２には、記録領域であるコマ１６が、フィルムの長さ方向に沿って多数配列されている。また、コマ１６の各々には、第何番目のコマかを表すコマ番号１８が付与されている。
【００３９】
この例では、フィルム１２の他端１２Ａ側から配列された、６個のコマ１６１〜１６６が図示されている。コマ１６１〜１６６の各々の下方には、コマ番号１８１〜１８６が記録されている。例えば、最初のコマ１６１のコマ番号１８１は「Ａ０１」であり、第３番目のコマ１６３のコマ番号１８３は「Ａ０３」である。マイクロフィルムに文書情報を記録した後は、このコマ番号１８から文書情報を記録したコマ（領域）１６を特定する。
【００４０】
また、図１（Ｃ）に示すように、マイクロフィッシュ２０は、シート状のフィルム１２Ｂを備えている。シート状のフィルム１２Ｂは、平面視が矩形状のフィルムである。フィルム１２Ｂには、記録領域であるコマ１６が、マトリクス状に多数配列されている。また、コマ１６の各々には、第何番目のコマかを表すコマ番号１８が付与されている。フィルム１２Ｂの上部には、記録した文書の表題や記録した日付等のインデックス情報を記録する見出し欄２２が配置されている。
【００４１】
この例では、マイクロフィッシュ２０のフィルム１２Ｂには、１５個のコマ１６１〜１６１５が図示されている。１５個のコマ１６１〜１６１５は、３行５列のマトリクス状に配列されている。コマ１６１〜１６１５の各々の下方には、コマ番号１８１〜１８１５が記録されている。例えば、最初のコマ１６１のコマ番号１８１は「Ａ０１」であり、第１５番目のコマ１６１５のコマ番号１８１５は「Ａ１５」である。また、見出し欄２２には、「ＡＢＣ・・・ＸＹＺ」という見出しが記録されている。
【００４２】
標準的に利用されているロールフィルムは、幅が１６ｍｍで長さが６６ｍである。このロールフィルムにアナログ形式で文書情報を記録する場合には、４０分の１の縮小率で、フィルム１巻に約６０００枚の書類を記録することが可能である。また、標準的に利用されているマイクロフィッシュは、Ａ６版程度の大きさであり、６０コマ用、９８コマ用、２４４コマ用、２７０コマ用がある。
【００４３】
図２はマイクロフィルムの記録領域の構造を示す図である。ここでは、図１（Ａ）に示すロールフィルム１０について、第１番目の記録領域であるコマ１６１の詳細な構造を図示している。従来は、マイクロフィルムの１コマに、１ページ分の縮小画像をアナログ形式で記録していた。本発明ではマイクロフィルムに文書情報をホログラム形式で記録する。文書情報をホログラム形式で記録する場合には、アナログ形式で記録する場合よりも記録領域の面積を小さくでき、マイクロフィルムの記録容量が増加する。画像をそのまま結像させるフレネルホログラムを、レンズでフーリエ変換して記録するフーリエ変換ホログラムとすれば、レンズで集光することで記録領域の面積をより小さくできる。
【００４４】
従って、文書情報をホログラム形式で記録する場合には、１コマを複数のセクターに分割し、セクター毎に異なる文書情報を記録することができる。隣接するセクター間に仕切り線を設けるなど、光学的に区別できる方法で１コマが複数のセクターに分割される。
【００４５】
また、文書情報をホログラム形式で記録する場合には、１個のセクターに複数枚分の書類の文書情報を多重記録することができる。例えば、書類毎に参照光の入射角度を変えて、まったく同じ場所に一連の書類群を角度多重記録することができる。あるいは、書類１枚分のホログラムを記録した後にわずかにフィルムを移動させて、ほとんど前の書類のホログラムと重なるように次の書類のホログラムを記録する、シフト多重記録を実施することもできる。
【００４６】
この例では、フィルム１２の第１番目の記録領域であるコマ１６１は、点線により、１２個のセクター２４１〜２４１２に分割されている。１２個のセクター２４１〜２４１２は、４行３列のマトリクス状に配列されている。例えば、複数枚分の書類の文書情報を、コマ１６１の３行２列目のセクター２４８（白抜きで表示した領域）に、ホログラムで多重記録することができる。上述した通り、角度多重記録やシフト多重記録等の多重記録方法を用いることができる。
【００４７】
図３（Ａ）〜（Ｃ）はマイクロフィルム文書の書式の一例を示す図である。マイクロフィルム文書は、原本と同等の法的証拠能力（証拠性）を保証するために、ＪＩＳ、ＩＳＯ等で書式が国際的に規格化、標準化されている。例えば、社団法人日本画像情報マネジメント協会が定めたマイクロフィルム文書取扱規定では、「マイクロフィルム文書」とは、紙文書等の元の文書を撮影したマイクロフィルムであって、マスターフィルム文書及び活用フィルムをいう、と定義されている。
【００４８】
ここで、「マスターフィルム文書」とは、法的証拠能力を保持したマイクロフィルムで、保存及び活用フィルム文書の複製等のため、管理責任者により保管されるマイクロフィルムをいう。また、「活用フィルム」とは、マスターフィルム文書を複製したマイクロフィルムであって、管理責任者が保管するマイクロフィルムをいう。
【００４９】
上記のマイクロフィルム文書取扱規定では、マイクロフィルム文書の書式は、最初を表す書類、本文を表す書類、及び最後を表す書類を少なくとも含むように定められている。例えば、マイクロフィルム文書が、１本のロールフィルムで完結する場合には、図３（Ａ）に示すように、本文を表す書類２６の前に最初を表す書類２８が配置され、本文を表す書類２６の後に最後を表す書類３０が配置される。このような書式を採用することで、フィルムが切り貼りされていない限り、マイクロフィルム文書の証拠性が保証される。
【００５０】
最初を表す書類２８には、開始表示（開０００１）２８Ａ、分解能チャート（マイクロ写真解像力試験図表）２８Ｂ、撮影依頼票（マイクロ写真撮影依頼票）２８Ｃ、及び件名と内容２８Ｄの各書類が含まれる。最後を表す書類３０には、撮影証明書（マイクロ写真撮影証明書）３０Ａ、分解能チャート（マイクロ写真解像力試験図表）３０Ｂ、及び終了表示（終）３０Ｃの各書類が含まれる。図３（Ｂ）は、上記の撮影依頼票２８Ｃの具体例を示す図であり、図３（Ｃ）は、上記の撮影証明書３０Ａの具体例を示す図である。
【００５１】
以下では、一連の書類群に含まれる各書類の情報をマイクロフィルムに記録して、マイクロフィルム文書を作成する情報記録方法及び装置について具体的に説明する。各書類の情報は、書類の画像を縮小して記録するアナログ形式ではなく、二光波の干渉により得られるホログラム形式でマイクロフィルムに記録される。なお、以下では、ロールフィルム１０を用いる場合を図示し、マイクロフィルム１０と言い換える。
【００５２】
ホログラムは二光波の干渉縞を記録したものであり、破壊はできても意図的な改ざんは困難である。特に、多重記録されたホログラム群の一部（例えば、特定の書面に対応するホログラム）を、意図的に改ざんすることは不可能である。従って、書類の情報をマイクロフィルムにホログラム形式で記録することにより、文書の真正性を損なうことなく（改ざんを防止して証拠性を確保し）、アナログ形式で記録する場合と比較して大容量の文書情報を、長期間にわたり記録保存することが可能となる。
【００５３】
（本発明の実施の形態）
本発明の実施の形態では、図４に示すように、マイクロフィルム文書用に書式が定められた一連の書類群の全部（最初を表す書類２８、本文を表す書類２６、及び最後を表す書類３０）を、書類毎に、アナログホログラムの形式及びデジタルホログラムの形式で、マイクロフィルム１０の同じセクター２４に多重記録する例について説明する。マイクロフィルムにホログラム形式で記録することにより、改ざんを防止して証拠性を確保することが可能になると共に、アナログ形式で記録する場合と比較してマイクロフィルムの記録容量が増大する。
【００５４】
「アナログホログラム」とは、記録する書類に光を照射して得られた反射物体光と、参照光との干渉により記録されるホログラムである。アナログホログラムに、記録時と同じ参照光を読出し光として照射すると、アナログホログラムから、反射物体光が再生される。再生された反射物体光を集光すると、記録した書類のアナログ画像が結像する。即ち、アナログホログラムの形式で記録すると、「書類のアナログ情報」が再生される。アナログホログラムは、言わば、書類のホログラムを直接撮影して記録したものであり、改ざんを防止して証拠性を確保することが容易になる。
【００５５】
一方、「デジタルホログラム」とは、記録する書類のデジタルデータを明暗画像で表したデジタル画像で変調された信号光と、参照光との干渉により記録されるホログラムである。デジタルホログラムに、記録時と同じ参照光を読出し光として照射すると、デジタルホログラムから、信号光が再生される。再生された信号光を集光すると、記録した書類のデジタル画像が結像する。即ち、デジタルホログラムの形式で記録すると、デジタル画像が再生される。デジタル画像はデジタルデータ（電子化された書類の文書情報）に復号される。これにより、文書情報の統合管理、文書情報の交換・流通、文書情報の有効活用、検索性など、デジタルの利便性を享受できる。
【００５６】
本実施の形態では、記録する書類に光を照射して得られた反射物体光と、記録する書類のデジタルデータを明暗画像で表したデジタル画像で変調された信号光と、を干渉させて１枚のホログラムを記録する。このホログラムは、記録時と同じ信号光を読出し光として照射すると、反射物体光が再生されるアナログホログラムであると同時に、記録時と同じ反射物体光を読出し光として照射すると、信号光が再生されるデジタルホログラムでもある。即ち、アナログホログラム（第１ホログラム）とデジタルホログラム（第２ホログラム）とが、１枚のホログラムとして記録されている。信号光を読出し光（読出し参照光）として照射したときに、ホログラムから信号光は再生されない。また、反射物体光を読出し光（読出し参照光）として照射したときに、ホログラムから反射物体光は再生されない。
【００５７】
本実施の形態では、上記の通り、１枚の書類（１ページ）について、この書類のアナログ情報とデジタル情報とを１枚のホログラムに関連付けて記録すると共に、１枚のホログラムからアナログ情報とデジタル情報とを別々に再生する。特に、デジタル情報を再生する際には、書類（詳しくは、書類から得られる反射物体光）を用いて、デジタル情報だけを選択的に再生することができる。これにより、「デジタルの利便性」と「アナログの証拠性」とを両立することが可能になる。
【００５８】
図５は第１の実施の形態に係る情報記録装置の構成を示す概略図である。
この情報記録装置には、コヒーレント光であるレーザ光を発振する光源３２が設けられている。光源３２としては、例えば、発振波長が５３２ｎｍの緑色レーザ光を発振するレーザ光源が用いられる。また、情報記録装置には、情報記録装置の各部を制御する制御部５８及び各種データを記憶するための記憶部６０が設けられている。制御部５８は、例えば、ＣＰＵ、ＲＯＭ、ＲＡＭを備えたマイクロコンピュータ等で構成することができる。記憶部６０は、外部記憶装置として設けられたハードディスク装置（ＨＤＤ）等で構成することができる。
【００５９】
光源３２は、制御部５８に接続されたレーザ駆動部６２により駆動される。光源３２の光射出側には、入射光の偏光方向を変える１／２波長板３３及び所定の偏光方向の光を反射し且つこれと直交する偏光方向の光を透過する偏光ビームスプリッタ３４が配置されている。偏光ビームスプリッタ３４の光透過側には、拡大・コリメート光学系であるビームエキスパンダ３６、光路に対し挿入又は退避（開閉）が可能なシャッター３８、及び二次元状に配列された画素毎に入射光を強度変調する透過型の空間光変調器４０が、偏光ビームスプリッタ３４側から光路に沿ってこの順に配置されている。シャッター３８は、制御部５８に接続されたシャッター駆動部６４により駆動されて開閉する（矢印Ｃ方向に移動する）。なお、１／２波長板３３により二光波の光量を調整することが可能であるため、シャッター３８は省略してもよい。
【００６０】
空間光変調器４０は、パターン発生器（図示せず）を介して制御部５８に接続されている。パターン発生器は、制御部５８から供給されたデジタルデータに応じて、空間光変調器４０に表示する二次元符号化されたパターンを生成する。空間光変調器４０は、表示パターンに応じて入射したレーザ光を変調して信号光を生成する。空間光変調器４０の光透過側には、空間光変調器４０で生成された信号光を、フーリエ変換して集光するフーリエ変換レンズ４２が配置されている。
【００６１】
後述する書類保持部５４の近傍には、書類保持部５４に保持された書類の画像を読み取るスキャナ等から構成された画像読取部６６が設けられている。例えば、画像読取部６６で書類の画像を読み取った後に、書類保持部５４に書類を供給するように、画像読取部６６を、書類の搬送方向に対し、書類保持部５４の上流側に設けることができる。画像読取部６６は、制御部５８に接続されている。画像読取部６６で読み取られた画像データは、制御部５８でデジタルデータに変換され、書類のデジタルデータが記憶部６０に記憶される。書類のデジタルデータは、書類を識別するための識別コード（例えば、文書ＩＤや書類ＩＤ等）と関連付けて記憶部６０に記憶される。
【００６２】
記憶部６０に記憶された書類のデジタルデータは、信号光を生成する時に、制御部５８によって読み出され、パターン発生器に供給される。例えば、図３（Ｃ）に示す撮影証明書３０Ａのホログラムを記録する場合には、撮影証明書３０Ａのデジタルデータ（書類の文書情報）から、デジタルデータを明暗画像で表した表示パターン（デジタル画像）４０Ａが生成され、空間光変調器４０には表示パターン４０Ａが表示される。
【００６３】
偏光ビームスプリッタ３４の光反射側には、反射ミラー４６が配置されている。反射ミラー４６の光反射側（又は光入射側）には、特定波長の直交する直線偏光成分間に所定の光路差（位相差）を与える波長板４８、シャッター５０、及び拡大・コリメート光学系であるビームエキスパンダ５２が、反射ミラー４６側から光路に沿ってこの順に配置されている。シャッター５０は、制御部５８に接続されたシャッター駆動部６４により駆動されて開閉する（矢印Ａ方向に移動する）。なお、シャッター５０は省略してもよい。
【００６４】
ビームエキスパンダ５２の光射出側には、紙文書等、撮影される原文書の書類を保持する書類保持部５４が設けられている。原文書の書類は、図示しない紙送り機構により１枚ずつ搬送されて、順次、書類保持部５４に保持される。ビームエキスパンダ５２から射出された光は、書類保持部５４に保持された書類（例えば、図３（Ｃ）に示す撮影証明書３０Ａ）全体に照射される。書類保持部５４に保持された書類からは、物体光が反射又は散乱される（反射物体光）。反射物体光の射出側には、反射物体光を集光するフーリエ変換レンズ５６が配置されている。
【００６５】
次に、図５に示す情報記録装置の記録動作について説明する。
ホログラムを記録する場合には、シャッター３８及びシャッター５０を開いて、光源３２からレーザ光を照射する。光源３２から発振されたレーザ光は、１／２波長板３３で偏光方向が調整され、偏光ビームスプリッタ３４に入射して分岐される。偏光ビームスプリッタ３４を透過した光は、ビームエキスパンダ３６により大径の平行光に変換され、シャッター３８を通過して、空間光変調器４０に照射される。
【００６６】
空間光変調器４０には、書類保持部５４に保持された書類のデジタルデータを明暗画像で表した表示パターンが表示されている。例えば、図３（Ｃ）に示す撮影証明書３０Ａが書類保持部５４に保持されている場合には、撮影証明書３０Ａのデジタルデータを明暗画像で表した表示パターン（デジタル画像）４０Ａが、空間光変調器４０に表示される。表示パターンは、例えば、二値のデジタルデータ「０，１」が「暗（黒画素）、明（白画素）」で表現されたものである。
【００６７】
空間光変調器４０に入射した光は、表示パターンに応じて強度変調され、信号光が生成される。空間光変調器４０で強度変調されて生成された信号光は、フーリエ変換レンズ４２によりフーリエ変換されて集光され、フィルム保持部４４に保持されたマイクロフィルム１０の所定位置（例えば、セクター２４）に照射される。以下では、所定位置をセクター２４として説明する。
【００６８】
偏光ビームスプリッタ３４で反射された光は、反射ミラー４６で反射される。反射ミラー４６で反射され、光路が折り曲げられた光は、波長板４８により偏光方向が調整される。例えば、偏光ビームスプリッタ３４で反射された光の偏光方向は、偏光ビームスプリッタ３４を透過した光の偏光方向とは互いに直交する関係にあるが、両者を干渉させるために、波長板４８により偏光方向を９０°回転させて、偏光方向を同じにする。
【００６９】
波長板４８を透過した光は、シャッター５０を通過し、ビームエキスパンダ５２により大径の平行光に変換され、書類保持部５４に保持された書類全体に照射される。書類保持部５４に保持された書類からは、物体光が反射又は散乱される（反射物体光）。反射物体光は、フーリエ変換レンズ５６によりフーリエ変換されて集光され、フィルム保持部４４に保持されたマイクロフィルム１０のセクター２４に照射される。
【００７０】
反射物体光と信号光とは同時にセクター２４に照射される。反射物体光と信号光とが照射される位置において、反射物体光と信号光とが干渉して形成された干渉縞が、ホログラムとして記録される。
【００７１】
本実施の形態では、上述したように、一連の書類群の全部（最初を表す書類２８、本文を表す書類２６、及び最後を表す書類３０）を撮影し、ホログラムの形式で、マイクロフィルム１０の同じセクター２４に、１枚ずつ順次記録する（図４参照）。撮影される原文書の書類を、図示しない紙送り機構により１枚ずつ搬送して、順次、書類保持部５４に保持し、書類毎に、反射物体光と信号光とを干渉させてホログラムを記録する。上述した通り、このホログラムは、反射物体光が再生されるアナログホログラムであると同時に、信号光が再生されるデジタルホログラムでもある。
【００７２】
１枚のホログラム内には、同じ書類の文書情報が、アナログ情報として記録されると共にデジタル情報としても記録される。換言すれば、１枚のホログラムから再生されたアナログ情報とデジタル情報とは、同じ書類の文書情報であることが保証される。従って、デジタルホログラムが、デジタルデータに変換された文書情報を基に記録されたものであっても、書類のアナログ画像と関連付けられているので、アナログホログラムから再生されたアナログ画像の見読性から、デジタルデータの証拠性が確保される。
【００７３】
詳しくは、アナログホログラムから再生された書類のアナログ画像は、マイクロフィルムにアナログ形式で縮小記録された書類の画像と同様に、人が判読可能なものであり、改ざんは困難である。また、デジタルホログラムから再生されたデジタルデータは、ホログラムにより書類のアナログ画像と関連付けられているので、証拠性が確保される。
【００７４】
異なる書類については、書類毎に、干渉する反射物体光及び信号光の位相分布が異なるので、マイクロフィルム１０の同じ記録領域（例えば、セクター２４）に、一連の書類群の全部について、ホログラムを多重記録することができる。
【００７５】
次に、図６及び図７を参照して、記録されたホログラムからアナログ情報及びデジタル情報を各々読み出す、情報再生方法及び情報再生装置について説明する。１枚の書類の文書情報を記録した１枚のホログラム内には、アナログ情報とデジタル情報とが混在することになるが、アナログ情報とデジタル情報とが別々に再生される。
【００７６】
デジタル情報を再生する場合には、図６に示したように、上述した情報記録装置の構成（図５参照）に加えて、デジタルホログラムからの再生像を検出するために、マイクロフィルム１０の光透過側に、フーリエ変換レンズ７０と、ＣＣＤやＣＭＯＳアレイ等の撮像素子で構成されたセンサアレイ７２と、を配置する。センサアレイ７２は、制御部５８に接続されている。なお、図５に示す情報記録装置と同じ構成部分には同じ符号を付して説明を省略する。また、図５に示す情報記録装置の構成の内、再生動作に関係しない部分は図示を省略する。
【００７７】
まず、シャッター３８を閉じると共にシャッター５０を開いて、光源３２からレーザ光を照射する。光源３２から発振されたレーザ光は、１／２波長板３３で偏光方向が調整され、偏光ビームスプリッタ３４に入射する。偏光ビームスプリッタ３４を透過した光がある場合は、ビームエキスパンダ３６を通過した後に、シャッター３８で遮断される。一方、偏光ビームスプリッタ３４で反射された光は、記録時と同様に、反射ミラー４６で反射される。反射ミラー４６で反射され、光路が折り曲げられた光は、波長板４８により光強度や偏光方向が調整される。
【００７８】
波長板４８を透過した光は、シャッター５０を通過し、ビームエキスパンダ５２により大径の平行光に変換され、書類保持部５４に保持された書類全体に照射される。書類保持部５４に保持された書類からは、物体光が反射又は散乱される（反射物体光）。反射物体光はフーリエ変換レンズ５６によりフーリエ変換されて集光され、フィルム保持部４４に保持されたマイクロフィルム１０のセクター２４に、読み出し用の参照光として照射される。
【００７９】
照射された読み出し参照光（反射物体光）は、マイクロフィルム１０の記録領域を透過するときに、記録されたホログラムによって回折され、透過回折光が生成される。デジタルホログラムから生成された透過回折光は、フーリエ変換レンズ７０側に射出される。透過回折光は、フーリエ変換レンズ７０により逆フーリエ変換されて、信号光が再生され、再生された信号光がセンサアレイ７２に入射する。センサアレイ７２の表面には、信号光が集光されて、書類のデジタル画像が結像される。
【００８０】
例えば、図３（Ｃ）に示す撮影証明書３０Ａを用いた場合には、この撮影証明書３０Ａのデジタルデータを明暗画像で表した表示パターン（デジタル画像）４０Ａが、センサアレイ７２の表面に結像される。この結果、書類のデジタル画像が撮像される。このように、書類から得られる反射物体光を用いて、デジタル情報だけを選択的に再生することができる。
【００８１】
センサアレイ７２は、受光した光を電気信号に変換して出力する。センサアレイ７２は、受光面に結像されたデジタル画像を撮像し、撮像されたデジタル画像の画像データを制御部５８に出力する。制御部５８では、画像データに基づいてデジタルデータが復号される。復号されたデジタルデータは、例えば、記憶部６０に記憶しておくことができ、適宜、読み出して活用することが可能である。また、デジタルデータを用いて、キーワード検索やプリントアウトを行うこともできる。
【００８２】
また、既に説明したとおり、デジタルホログラムから再生されたデジタルデータは証拠性が保証されるので、識別コード等で識別される１枚の書類について、記憶部６０に記憶されたデジタルデータを、デジタルホログラムから再生されたデジタルデータと照合することで、記憶されたデジタルデータの証拠性を証明することもできる。即ち、本物の書類（原文書）から得られた反射物体光を用いて、ホログラムに記録されたデジタルデータを再生することで、記憶されたデジタルデータが改ざんされていないか否かを確認することができる。
【００８３】
アナログ情報を再生する場合には、図７に示したように、上述した情報記録装置の構成（図５参照）に加えて、デジタルホログラムからの再生像を検出するために、マイクロフィルム１０の光透過側に、フーリエ変換レンズ７４と、ＣＣＤやＣＭＯＳアレイ等の撮像素子で構成されたセンサアレイ７６と、を配置する。センサアレイ７６は、制御部５８に接続されている。なお、図５に示す情報記録装置と同じ構成部分には同じ符号を付して説明を省略する。また、図５に示す情報記録装置の構成の内、再生動作に関係しない部分は図示を省略する。
【００８４】
まず、シャッター５０を閉じると共にシャッター３８を開いて、光源３２からレーザ光を照射する。光源３２から発振されたレーザ光は、１／２波長板３３で偏光方向が調整され、偏光ビームスプリッタ３４に入射する。偏光ビームスプリッタ３４で反射された光がある場合には、反射ミラー４６で反射され、波長板４８を通過した後に、シャッター５０で遮断される。
【００８５】
偏光ビームスプリッタ３４を透過した光は、ビームエキスパンダ３６により大径の平行光に変換され、シャッター３８を通過して、空間光変調器４０に照射される。空間光変調器４０には、「アナログ情報を再生したい書類」のデジタルデータを明暗画像で表した表示パターンが表示されている。書類のデジタルデータは、識別コード等で識別されて記憶部６０に記憶されているので、識別コードから再生する書類のデジタルデータを読み出して、表示パターンを生成する。例えば、図３（Ｃ）に示す撮影証明書３０Ａのアナログ情報（アナログ画像）を再生したい場合には、撮影証明書３０Ａのデジタルデータを明暗画像で表した表示パターン（デジタル画像）４０Ａを、空間光変調器４０に表示する。
【００８６】
空間光変調器４０に入射した光は、表示パターンに応じて強度変調され、信号光が生成される。空間光変調器４０で強度変調されて生成された信号光は、フーリエ変換レンズ４２によりフーリエ変換されて集光され、フィルム保持部４４に保持されたマイクロフィルム１０のセクター２４に、読み出し用の参照光として照射される。
【００８７】
照射された読み出し参照光（信号光）は、マイクロフィルム１０の記録領域を透過するときに、記録されたホログラムによって回折され、透過回折光が生成される。アナログホログラムから生成された透過回折光は、フーリエ変換レンズ７４側に射出される。透過回折光は、フーリエ変換レンズ７４により逆フーリエ変換されて、反射物体光が再生され、再生された反射物体光がセンサアレイ７６に入射する。センサアレイ７６の表面には、反射物体光が集光されて、書類のアナログ画像が結像される。この結果、書類のアナログ画像が撮像される。センサアレイ７６は、撮像されたアナログ画像を表す電気信号を制御部５８に出力する。
【００８８】
また、既に説明したとおり、アナログホログラムは、言わば、書類のホログラムを直接撮影して記録したものであり、アナログホログラムから再生されたアナログ画像は見読性を有している。従って、アナログホログラムの形式で記録することで、文書の改ざんを防止して証拠性を確保することが容易になる。
【００８９】
なお、上記の実施の形態では、１枚の書類を１枚のホログラム（アナログホログラム兼デジタルホログラム）で記録する例について説明したが、１枚の書類を２枚のホログラム（アナログホログラムとデジタルホログラム）で記録してもよい。この場合は、図８に示すように、記録する書類に光を照射して得られた反射物体光と、信号光とは異なる波面を有する参照光と、を干渉させてアナログホログラムを記録する。そして、記録する書類に光を照射して得られた反射物体光と、記録する書類のデジタルデータを明暗画像で表したデジタル画像で変調された信号光と、を干渉させてデジタルホログラムを記録する。
【００９０】
アナログホログラムに、記録時と同じ参照光を読出し光として照射すると、反射物体光が再生される。また、デジタルホログラムに、記録時と同じ反射物体光を読出し光として照射すると、信号光が再生される。反射物体光を読出し光（読出し参照光）として照射したときに、デジタルホログラムから反射物体光は再生されない。
【００９１】
１枚の書類（１ページ）について、この書類のアナログ情報とデジタル情報とが、１枚の書類（詳しくは、書類から得られる反射物体光）により関連付けされて、２枚のホログラムとして記録され、２枚のホログラムからアナログ情報とデジタル情報とが別々に再生される。デジタル情報を再生する際に、書類（書類から得られる反射物体光）を用いて、デジタル情報だけを選択的に再生でき、再生されたデジタル情報の証拠性を保証できる点は、上記の実施の形態と同様である。これにより、上記の実施の形態と同様に、「デジタルの利便性」と「アナログの証拠性」とを両立することが可能になる。
【００９２】
なお、上記の実施の形態では、一連の書類群の全部（最初を表す書類２８、本文を表す書類２６、及び最後を表す書類３０）を、ホログラム形式で、マイクロフィルム１０の同じセクター２４に多重記録する例について説明したが、一連の書類群の一部（最初を表す書類２８及び最後を表す書類３０）を、従来通りアナログ形式でマイクロフィルム１０に記録し、本文を表す書類２６だけを、最初を表す書類２８のコマと最後を表す書類３０を表すコマとの間にある記録領域に、ホログラム形式で多重記録することができる。この場合には、見読性の観点から更に改ざんが困難になる。
【図面の簡単な説明】
【００９３】
【図１】（Ａ）〜（Ｃ）はマイクロフィルムの種々の形態を示す図である。
【図２】マイクロフィルムの記録領域の構造を示す図である。
【図３】（Ａ）〜（Ｃ）はマイクロフィルム文書の書式の一例を示す図である。
【図４】本発明の実施の形態に係る情報記録方法の一例を説明するための概念図である。
【図５】本発明の実施の形態に係る情報記録装置の構成を示す概略図である。
【図６】本実施の形態に係る情報記録方法で記録したホログラムからデジタル情報を再生する装置及び方法を説明する図である。
【図７】本実施の形態に係る情報記録方法で記録したホログラムからアナログ情報を再生する装置及び方法を説明する図である。
【図８】本発明の実施の形態に係る情報記録方法の他の一例を説明するための概念図である。
【符号の説明】
【００９４】
１０  マイクロフィルム（ロールフィルム）
１２  フィルム
１２Ｂ      フィルム
１４  リール
１６  コマ
１８  コマ番号
２０  マイクロフィッシュ
２２  見出し欄
２４  セクター
２６  本文を表す書類
２８  最初を表す書類
２８Ｃ      撮影依頼票
３０  最後を表す書類
３０Ａ      撮影証明書
３２  光源（レーザ）
３３  １／２波長板
３４  偏光ビームスプリッタ
３６  ビームエキスパンダ
３８  シャッター
４０  空間光変調器
４０Ａ      表示パターン（デジタル画像）
４２  フーリエ変換レンズ
４４  フィルム保持部
４６  反射ミラー
４８  波長板
５０  シャッター
５２  ビームエキスパンダ
５４  書類保持部
５６  フーリエ変換レンズ
５８  制御部
６０  記憶部
６２  レーザ駆動部
６４  シャッター駆動部
６６  画像読取部
７０  フーリエ変換レンズ
７２  センサアレイ
７４  フーリエ変換レンズ
７６  センサアレイ
【図１】
2009217137.tif 000003
【図２】
2009217137.tif 000004
【図３】
2009217137.tif 000005
【図４】
2009217137.tif 000006
【図５】
2009217137.tif 000007
【図６】
2009217137.tif 000008
【図７】
2009217137.tif 000009
【図８】
2009217137.tif 000010